(57)【特許請求の範囲】
【請求項１】
シャンプーボールにおける被施術者の首後ろ部を載せる凹部とは反対側の縁の略半周にわたる内周面に段部を形成し、該段部の両端に温度調節摘みと止水摘みを取付け、また、中央部にシャワーヘッドを引き出し可能に配置すると共に前記段部が形成された側の前記シャンプーボールの縁の高さを、前記温度調節摘み、止水摘みおよびシャワーヘッドの上面が前記縁より上方に突出しない高さに形成し、かつ、前記段部の温度調整摘みと止水摘みが取付けられている部分を前記凹部とは反対側の縁に向かって高さが低くなるように傾いて形成し、被施術者の両側面と後方側からの洗髪を行い易くしたことを特徴とするシャンプーボール装置。
【請求項２】
前記シャンプーボールの前記凹部には、該凹部に固定されるコの字状の固定部材と、該固定部材に対して回動自在に軸支される回動部材と、該回動部材における水平部の中央寄りの２ヵ所に上方に突出して形成された頭部支持部材と、前記回転部材の垂直部の上端両側から突出して軸に対して上部において回転自在に軸支された頸部支持部材からなる頭部支持装置を取付けたことを特徴とする請求項１記載のシャンプーボール装置。
【請求項３】
前記シャンプーボールから引き出し自在に配置されているシャワーヘッドのホースは、シャンプーボールの下部に取付けられているローラーを有する案内部材に案内され、該案内されているホースの給湯器側においてスプリングによって引っ張られシャワーヘッドをシャンプーボールに戻した状態でホースが弛まないようにしたことを特徴とする請求項１または２記載のシャンプーボール装置。
【請求項４】
前記ローラーでガイドされているホースから滴り落ちる温水を受ける水受けパットがシャンプーボールの下部に着脱自在に取付けられていることを特徴とする請求項１または２記載のシャンプーボール装置。
【発明の詳細な説明】
【技術分野】
【０００１】
本発明は、シャンプーボールにおける温度調節摘みと止水摘みおよびシャワーヘッドの配置に工夫を施して、施術者が被施術者の洗髪を行う際に洗髪作業が行い易いようにしたシャンプーボール装置に関する。
【背景技術】
【０００２】
従来におけるシャンプーボール装置としては、例えば、本出願人会社が出願した特開２００２−２８２０４５に開示されている発明がある。この発明におけるシャンプーボールは壁面に固定され被施術者の洗髪は側面方向から行うことを前提としているものであって、温度調節摘みと止水摘みおよびシャワーヘッドの位置関係は、前記側面方向からの洗髪が行い易いようにシャンプーボールにおける縁の中央に温度調節摘みと止水摘みを近接して配置し、シャワーヘッドは前記温度調節摘みと止水摘みより離れた位置に配置されていた。
【特許文献１】特開２００２−２８２０４５
【発明の開示】
【発明が解決しようとする課題】
【０００３】
近年になって移動式のシャンプーボールや理美容椅子の背凭れ部にシャンプーボールが一体に取付けたものが開発されている。これは従来と同様に被施術者の側面方向からの洗髪と、被施術者の頭部後方からの洗髪とが行えるものである。ところで、前記した従来例のような温度調節摘み、止水摘みおよびシャワーヘッドが配置されたものにあっては、被施術者の後方から洗髪を行う場合に温度調節摘みや止水摘みおよびシャワーヘッドが施術者の手や肘に干渉して洗髪の妨げになり、従って、被施術者によって行う側面方向および後方からの洗髪とを選択して行うことができないといった問題があった。
【０００４】
本発明は前記した問題点を解決せんとするもので、その目的とするところは、側面側からの洗髪と後方からの洗髪の両作業において温度調節摘み、止水摘みおよびシャワーヘッドが邪魔になることがなく洗髪作業が行い易く、かつ、洗髪時に施術者が濡れた手で前記各摘みを操作してもシャンプーボールの外側に温水が滴り落ちることがないシャンプーボール装置を提供せんとするにある。
【課題を解決するための手段】
【０００５】
本発明のシャンプーボール装置は前記した目的を達成せんとするもので、請求項１の手段は、シャンプーボールにおける被施術者の首後ろ部を載せる凹部とは反対側の縁の略半周にわたる内周面に段部を形成し、該段部の両端に温度調節摘みと止水摘みを取付け、また、中央部にシャワーヘッドを引き出し可能に配置すると共に前記段部が形成された側の前記シャンプーボールの縁の高さを、前記温度調節摘み、止水摘みおよびシャワーヘッドの上面が前記縁より上方に突出しない高さに形成し、かつ、前記段部の温度調整摘みと止水摘みが取付けられている部分を前記凹部とは反対側の縁に向かって高さが低くなるように傾いて形成し、被施術者の両側面と後方側からの洗髪を行い易くしたことを特徴とする。
【０００６】
請求項２の手段は、前記した請求項１において、前記シャンプーボールの前記凹部には、該凹部に固定されるコの字状の固定部材と、該固定部材に対して回動自在に軸支される回動部材と、該回動部材における水平部の中央寄りの２ヵ所に上方に突出して形成された頭部支持部材と、前記回転部材の垂直部の上端両側から突出して軸に対して上部において回転自在に軸支された頸部支持部材からなる頭部支持装置を取付けたことを特徴とする。
【０００７】
請求項３の手段は、前記した請求項１または２において、前記シャンプーボールから引き出し自在に配置されているシャワーヘッドのホースは、シャンプーボールの下部に取付けられているローラーを有する案内部材で案内され、該案内されているホースの給湯器側においてスプリングによって引っ張られシャワーヘッドをシャンプーボールに戻した状態でホースが弛まないようにしたことを特徴とする。
【０００８】
請求項４の手段は、請求項１または２において、前記ローラーでガイドされているホースから滴り落ちる温水を受ける水受けパットがシャンプーボールの下部に着脱自在に取付けられていることを特徴とする。
【発明の効果】
【０００９】
本発明は前記したように、シャンプーボールにおける被施術者の首後ろ部を載せる凹部と反対側の縁の略半周にわたる内周面に段部を形成し、この段部の両端に温度調節摘みと止水摘みを取付けると共に前記温度調節摘み、止水摘みおよびシャワーヘッドの上面がシャンプーボールの縁より上方に突出しないようにしたので、側面側からの洗髪と後方からの洗髪の両作業において温度調節摘み、止水摘みおよびシャワーヘッドが邪魔になることがなく洗髪作業が行い易く、かつ、洗髪時に施術者が濡れた手で前記各摘みを操作してもシャンプーボールの外側に温水が滴り落ちることがない。
【００１０】
また、温度調節摘みおよび止水摘みは前記シャンプーボールの内側に向けて傾斜して取付けることにより、あらゆる方向からの操作が行い易く作業性の向上を図ることができる。
【００１１】
さらに、ホースを引き出す時および収納時においてホースが案内部材で支持されているので、シャワーヘッドの引き出しおよびスプリングによる引っ張り時の負荷が小さくなってスムーズなシャワーヘッドの引き出しと収納が行え、また、ホースの中間部がスプリングによって引っ張られているので、シャワーヘッドをシャンプーボールへ収納した時にホースが弛んで床面に着いたりすることがないので床面を濡らすこともなく、かつ、ホースの弛みによる美観が損なわれることがない。
【００１２】
また、ホースから滴り落ちる温水を受ける水受けパットが着脱自在に取付けられているので、ホースからの水滴が床面に落ちて床面を汚すことがないと共に施術者が水で濡れることがなく、かつ、水受けを本体側から取り外すことが可能なので溜まった水の処分を簡単に行うことができる等の効果を有するものである。
【発明を実施するための最良の形態】
【００１３】
本発明は、シャンプーボールにおける縁の略半周にわたる内周面に段部を形成し、この段部の両端に温度調節摘みと止水摘みを取付け、中央部にシャワーヘッド配置すると共に前記温度調節摘み、止水摘みおよびシャワーヘッドの上面がシャンプーボールの縁より上方に突出しないようにした。
【実施例１】
【００１４】
次に、本発明のシャンプーボール装置の一実施例を図面と共に説明する。
図１〜図３において、１はシャンプーボールにして、該シャンプーボール１における被施術者の首後ろ部を載せる凹部１１と反対側の縁の略半周にわたる内周面に段部１２が形成されている。２は前記段部１２の中央部にホースが引き出し自在に取付けられたシャワーヘッド、３は前記段部１１の一方の端部に前記シャワーヘッド２に供給する湯の温度調節するための温度調節摘み、４は前記段部１１の他方の端部に前記シャワーヘッド２に湯を供給するための止水摘みにして、該止水摘み４と前記温度調節摘み３とはシャンプーボール１の左右位置に対向して配置されている。なお、前記段部１２は温度調節摘み３や止水摘み４が取付けられる部分は図３に示すように後述する頭部支持装置５とは反対側の縁に向かって傾いている。従って、温度調節摘み３や止水摘み４も傾くので何れの方向からの施術者による操作が行い易くなっている。
【００１５】
また、前記シャワーヘッド２、温度調節摘み３および止水摘み４の上面はシャンプーボール１の縁より上方には突出しないような深さに前記段部１２は形成されており、かつ、温度調節摘み３および止水摘み４は前記シャンプーボール１の内側に向けて傾斜して取付けられている。なお、１３は排水口である。
【００１６】
このようにシャンプーボール１に取付けられたシャワーヘッド２、温度調節摘み３および止水摘み４は側面側からの洗髪と後方からの洗髪の両作業において温度調節摘み３、止水摘み４およびシャワーヘッド２が邪魔になることがなく洗髪作業が行い易く、かつ、洗髪時に施術者が濡れた手で前記各摘みを操作してもシャンプーボールの外側に温水が滴り落ちることがないといった効果が得られ、また、温度調節摘み３および止水摘み４は前記シャンプーボール１の内側に向けて傾斜して取付けることにより、あらゆる方向からの操作が行い易く作業性の向上を図ることができるという効果も得られる。
【００１７】
次に、図４〜図６のシャワーヘッド２のホース２１が垂れ下がらないように収容する構造について説明する。
ホース２１の一端はシャワーヘッド２の基部に接続され、該基部はシャンプーボール１における段部１２に設けられたヘッド受けに挿入することで固定されるようになっている（図３参照）。また、ホース２１の他端は中間部に余裕を持った状態で止水摘み４が取付けられている止水栓４１に接続されている。
【００１８】
シャンプーボール１は支持部材１４によって固定されており、この支持部材１４にはホース２１を案内する第１、第２の案内部材１５，１６が取付けられている。
第１のホース案内部材１５は水平方向に配置されると共に水平方向の２つのローラー１５ａとホース２１の振れを防止するための２つのローラー１５ｂとが取付けられ、ホース２１はローラー１５ａ，１５ｂとの間に案内されている。
【００１９】
また、第２の案内部材１６はＬ状に形成されており、垂直方向の部材には垂直方向の２つのローラー１６ａとホース２１の振れを防止する１つのローラー１６ｂとが取付けられ、さらに、水平方向の部材には１つのローラー１６ｃ（図６を参照）が前記ローラー１６ａの１つのローラーと水平状態となるように取付けられている。そして、ホース２１は第１の案内部材１５のローラー間と第２の案内部材１６のローラー間に案内されている。
【００２０】
１７は一端が前記支持部材１４から垂下されている支持片１４ａに取付けられ、他端が止水栓４１と前記第２の案内部材１６の垂直状態で配置されたローラー１６ａの間から止水栓４１側に位置するホース２１の部分に摺動自在に取付けられたスプリングである。１８はシャンプーボール１の下部に配置されている排水口１２、ホース２１、第１、第２の案内部材等が外部から見えないよう覆うカバーにして、少なくともホース２１の下側に位置する部分には開口部１８ａが形成されており、この開口部１８ａにはホース２１から滴り落ちる水を溜めるための水受けパット１９が引き出し自在に取付けられている。
【００２１】
洗髪作業を行っていない初期状態にあっては、ホース２１はスプリング１７によって引っ張られ弛んだ状態にあるが、この時、弛んでいる部分のホース２１は第２の案内部材１６における水平状態のローラー１６ａ，１６ｃとの上に載置され、また、第１の案内部材１５における水平状態のローラー１５ａの一方（図４における右側のローラー）と接した状態となっている。
【００２２】
この初期状態においてヘッド受けに収容されている状態のシャワーヘッド２を持ってスプリング１７のバネ力に抗して引き出すと、第１の案内部材１５における水平状態のローラー１５ａの左側ローラーと、第２の案内部材１６における垂直状態のローラー１６ａの上側ローラーとにホース２１は当接する（図５と図６を参照）ので、引っ張られるホース２１は当接しているローラーが回転することよって摩擦抵抗が小さくなり、従ってホース２１を容易に引き上げることが可能となる。しかも、ローラー１５ｂ、１６ｂによってホース２１が振れることがないので、よりホース２１の引き出しがスムーズに行える。
【００２３】
そして、引き出したホース２１を戻すには、ホース２１を引き出していた力を緩めることにより、スプリング１７のバネ力によって引き戻されるが、この時、ホース２１は図４に示す右側のローラー１５ａと下側のローラー１６ａとに当接し、かつ、ローラー１５ｂと１６ｂとによって振れないように案内されるので、ホース２１の戻しりもスムーズに行われる。なお、ホース２１の引き出しおよび収容時においてホース２１に付着し落下する水滴は水受けパット１９に溜まるので床面を汚すのを防止でき、かつ、溜まった水は水受けパット１９をカバー１８より引き出すことで排水できる。
【００２４】
次に、シャンプーボール１の凹部１１に取付けられている頭部支持装置５について説明する。この頭部支持装置５は被施術者が仰向けになって洗髪を受けると時に、被施術者の後頭部と首後ろ部を支持して洗髪時に安楽な姿勢で行えるようにするための装置である。以下、図７〜図１２と共に詳細に説明する。
【００２５】
前記シャンプーボール１に形成された凹部１１に固定されるコの字状に形成された固定部材５１と、該固定部材５１の下部側における両側部において回動自在に軸支されたコの字状に形成された回動部材５２と、該回動部材５２における水平部の中央寄りの２ヵ所に上方に突出して一体的に形成された頭部支持部材５３と、前記回転部材５２の垂直部の上端両側から突出している軸５２ａに対して上部において回動自在に軸支された頸部支持部材５４とから構成されている。
【００２６】
前記回転部材５２が固定部材５１に当接して図６の側面視において反時計方向に所定の角度以上回転するのを防止するためのゴム等の弾性体によるストッパ突起５１ｂが前記固定部材５１に取付けられ、また、回転部材５２が時計方向に所定角度以上回転するのを防止するための回転部材５２の垂直部と当接する爪５１ｃが固定部材５１と一体的に形成されている。
【００２７】
なお、前記頭部支持部材５３の被施術者の頭部と当接する部分および前記頸部支持部材５４の被施術者の頸部と当接する部分には、ジェルや発泡材等のクッション材をウレタン等ので覆った頭部受け５３ａ、頸部受け５４ａが取付けられている。そして、頭部受け５３ａは頭部支持部材５３に対して着脱自在に、また、頸部受け５４ａは頸部支持部材５４に対して該頸部支持部材５４を表皮で覆った状態で表皮の裏面どうしを適宜手段で一体化することで取付けられている。従って、頭部受け５３ａおよび頸部受け５４ａが汚損したり破損した場合には交換が可能なようになっている。
【００２８】
このように構成した頭部支持装置５にあっては、椅子の背凭れを伏倒して被施術者の頭部を頭部支持装置５に位置させると、被施術者の後頭部は頭部支持部材５３に当接し、また、被施術者の首後ろ部は頸部支持部材５４に載置される。この時、被施術者の後頭部と首後ろ部との高低差あるいは形状における個人差があった場合には、頭部支持部材５３と頸部支持部材５４とが独立して回動するので、前記高低差や個人差があっても頭部支持部材５３は後頭部にフィットし、また、頸部支持部材５４は首後ろ部にフィットした状態となるので、被施術者が不快感や苦痛を感じることなく快適な洗髪姿勢で洗髪を受けることが可能となる。
【００２９】
また、頭部支持部材５３は被施術者における後頭部の中央部分の一部を支持しているので、シャワーヘッド２よりの温水を後頭部の殆ど全体に当てることができ、かつ、施術者の手も届くので洗髪作業を容易に行うことができる。さらに、被施術者の後頭部や首後ろ部に当接する頭部支持部材５３や頸部支持部材５４の当接部分にクッション材５３ａ，５４ａを設けることで、より被施術者は局部的な苦痛を感じることがないものである。
【図面の簡単な説明】
【００３０】
【図１】本発明に係るシャンプーボール装置の一実施例を示す斜視図である。
【図２】同上の平面図である。
【図３】同上のＡ−Ａ線断面図である。
【図４】シャンプーボール下部のホース収容部分を示しホースが収容されている状態の側面図である。
【図５】同上のホースが引き出された状態の側面図である。
【図６】同上の背面図である。
【図７】頭部支持装置の初期状態を示す斜視図である。
【図８】同上の短手方向の中央断面図である。
【図９】図７において頭部支持部材のみが回動した状態の斜視図である。
【図１０】同上の短手方向の中央断面図である。
【図１１】図９において頸部支持部材も回動した状態の斜視図である。
【図１２】同上の短手方向の中央断面図である。
【符号の説明】
【００３１】
１          シャンプーボール
１１        凹部
１２        段部
１５，１６  案内部材
１７        スプリング
１９        水受けパット
２          シャワーヘッド
２１        ホース
３          温度調節摘み
４          止水摘み
【図１】
0004673736.tif 000002
【図２】
0004673736.tif 000003
【図３】
0004673736.tif 000004
【図４】
0004673736.tif 000005
【図５】
0004673736.tif 000006
【図６】
0004673736.tif 000007
【図７】
0004673736.tif 000008
【図８】
0004673736.tif 000009
【図９】
0004673736.tif 000010
【図１０】
0004673736.tif 000011
【図１１】
0004673736.tif 000012
【図１２】
0004673736.tif 000013